(57)【要約】      （修正有）【課題】二つのサイド支持ロッドの距離を一定に保持することができ、ボールゲーム用ネットをスタンダードの規定寸法に展開することができ、競技スタンダードのボールゲーム用ネット枠の設置標準に合うことができるボールゲーム用ネット枠の強化支持構造を提供する。【解決手段】互いに対向する二つのサイド支持ロッドと、両端が各サイド支持ロッドに連接されるボールゲーム用ネットと、それぞれの第１支持段４１と第２支持段４２を接続して構成され、第１支持段４１と第２支持段４２が支持角θを成し、更に、第１支持段と第２支持段の間に支持体４３が接続され、二つのサイド支持ロッドの間に設けられる複数の下支持ユニット４０と、を含む。【選択図】図４
0003160752.tif 000002
【実用新案登録請求の範囲】
【請求項１】
互いに対向する二つのサイド支持ロッドと、
両端が前記各サイド支持ロッドに連接されるボールゲーム用ネットと、
それぞれ第１支持段と第２支持段を接続して構成され、前記第１支持段と前記第２支持段が支持角を成し、更に、前記第１支持段と前記第２支持段の間に支持体が接続され、前記二つのサイド支持ロッドの間に設けられる複数の下支持ユニットと、を含むことを特徴とする、ボールゲーム用ネット枠の強化支持構造。
【請求項２】
前記二つのサイド支持ロッドは、それぞれ中空な複数の支ロッドを嵌合して構成されることを特徴とする、請求項１に記載のボールゲーム用ネット枠の強化支持構造。
【請求項３】
各前記サイド支持ロッドの下部に支持台が接続され、前記支持台は、中空であり、上に向く端に前記サイド支持ロッドの前記支ロッドが連接され、前記支持台の上では、前記サイド支持ロッドと垂直する接続部が三つ設けられ、前記三つの接続部のうちの二つは、それぞれ下支持ロッドに接続されることを特徴とする、請求項２に記載のボールゲーム用ネット枠の強化支持構造。
【請求項４】
各前記支ロッドの間および前記各支ロッドと前記支持台の間は、それぞれ弾性付きロープで連接されることを特徴とする、請求項３に記載のボールゲーム用ネット枠の強化支持構造。
【請求項５】
前記ネットの両端に接続部がそれぞれ設けられ、両端にある前記接続部により、前記ネットが前記各サイド支持ロッドの前記支持台から遠ざかった一端に嵌め設けられることを特徴とする、請求項３に記載のボールゲーム用ネット枠の強化支持構造。
【請求項６】
各前記下支持ユニットは中空なチューブであることを特徴とする、請求項１に記載のボールゲーム用ネット枠の強化支持構造。
【請求項７】
前記第１支持段の自由端は中空な連接口であり、前記第２支持段の自由端は、前記連接口に対応する挿入端であり、前記第１支持段と前記第２支持段は、それぞれ一つの貫通孔を有し、前記下支持ユニットの前記第１支持段と前記第２支持段は、互いに対向し、一本の弾性付きロープが前記第１支持段と前記第２支持段とに設けられた前記貫通孔を挿通し、前記第１支持段と前記第２支持段とに設けられた前記貫通孔を挿通した前記弾性付きロープの両端にノットがそれぞれ形成され、前記ノットが形成されたと、前記弾性付きロープの両端が前記第１支持段と前記第２支持段とに設けられた前記貫通孔を通過できなくなることを特徴とする、請求項６に記載のボールゲーム用ネット枠の強化支持構造。
【請求項８】
前記支持体は、スチールワイヤでもいいし、一般のロープでもよいことを特徴とする、請求項７に記載のボールゲーム用ネット枠の強化支持構造。
【請求項９】
複数の前記下支持ユニットを連接した後の二つの自由端は、前記サイド支持ロッドの前記支持台の前記接続部に連接され、一本の前記弾性付きロープにより、前記下支持ユニットと前記支持台が連接されることを特徴とする、請求項３に記載のボールゲーム用ネット枠の強化支持構造。
【請求項１０】
前記下支持ユニットは中実なロッドであることを特徴とする、請求項１に記載のボールゲーム用ネット枠の強化支持構造。
【請求項１１】
前記下支持ユニットの間には、固定スリーブと、継手と、が配設され、前記固定スリーブには、前記各下支持ユニットの端部に合せ可能な嵌め穴が設けられ、且つ貫通孔と締結穴とが設けられ、各前記下支持ユニットの両端は、それぞれ一つの前記固定スリーブの前記嵌め穴に挿入され、締結具が前記締結穴に螺入されて前記下支持ユニットを緊迫し、前記継手は、前記下支持ユニットの端部に合せ可能な嵌め穴と、前記嵌め穴に隣接するように設けられ前記弾性付きロープを挿通可能な貫通孔と、を有し、前記継手には、更に、ねじ穴が設けられ、前記下支持ユニットに前記固定スリーブが嵌められた後、前記継手の両端を前記嵌め穴に挿入して、前記ねじ穴に締結具を螺入して前記下支持ユニットを緊迫し、且つ一本の前記弾性付きロープは、前記固定スリーブの前記貫通孔と、前記継手に設けられた前記貫通孔と、前記固定スリーブに隣接する別の固定スリーブの前記貫通孔と、を順次に挿通して、その両端にノットをそれぞれ形成し、ノットが形成された前記弾性付きロープの両端は、前記貫通孔を通過できなくなることを特徴とする、請求項１０に記載のボールゲーム用ネット枠の強化支持構造。
【請求項１２】
前記下支持ユニットは炭素繊維で作製されたものであることを特徴とする、請求項１１に記載のボールゲーム用ネット枠の強化支持構造。
【考案の詳細な説明】
【技術分野】
【０００１】
本考案は、ボールゲーム用ネット枠の強化支持構造に関するものである。
【背景技術】
【０００２】
スポーツをすることにより、ストレスを解消することができ、且つ身体を鍛錬することもできる。しかし、スポーツの種類は色々あり、ジョギング、水泳やボールゲームは全てスポーツに属する。各種類のボールゲームは、スポーツをやる場所の中央にボールゲーム用ネットを設けることが一般であり、ボールゲーム用ネットがスコア取りの判定標準とされるため、ボールゲーム用ネットの設置は標準に合うことが必要である。
【０００３】
従来のボールゲーム用ネット枠は、図１に示すように、ボールゲーム用ネット枠１０のボールゲーム用ネット１１の両端が一本の支持枠１２の二つのサイド支持ロッド１２１にそれぞれ設けられ、ボールゲーム用ネット１１をストレートに展開し、二つのサイド支持ロッド１２１がボールゲーム用ネット１１の中央に寄ることを回避するために、ボールゲーム用ネット枠１０は、二つのサイド支持ロッド１２１の間に下支持ロッド１３を設けることが一般である。下支持ロッド１３は、複数の支ロッド１３１を接続して構成され、その内部に弾性付きロープ１３２が挿通され、弾性付きロープ１３２の両端にノット１３３が形成され、ノット１３３がそれぞれプラグ１３４内に固定され、二つのサイド支持ロッド１２１の下部にプラグ１３４がそれぞれ接続され、これにより、下支持ロッド１３が二つのサイド支持ロッド１２１の間に定位され、二つのサイド支持ロッド１２１の距離が一定に保持される。
【０００４】
しかしながら、下支持ロッド１３がこれらの支ロッド１３１を接続してストレートなロッドになるため、下支持ロッド１３の自重または外力により、下支持ロッド１３の中央に撓みが発生され、このとき、二つのサイド支持ロッド１２１の距離を一定に保持することができなくなり、ひいてはボールゲーム用ネット枠１０は設置標準に合うことができなくなり、これにより、競技に利用することができなくなる。
【考案の概要】
【考案が解決しようとする課題】
【０００５】
本考案の主な目的は、二つのサイド支持ロッドの距離を一定に保持することができ、ボールゲーム用ネットをスタンダードの規定寸法に展開することができ、競技スタンダードのボールゲーム用ネット枠の設置標準に合うことができるボールゲーム用ネット枠の強化支持構造を提供することにある。
【課題を解決するための手段】
【０００６】
本考案のボールゲーム用ネット枠の強化支持構造によると、互いに対向する二つのサイド支持ロッドと、両端が前記各サイド支持ロッドに連接されるボールゲーム用ネットと、それぞれ第１支持段と第２支持段を接続して構成され、前記第１支持段と前記第２支持段が支持角を成し、更に、前記第１支持段と前記第２支持段の間に支持体が接続され、前記二つのサイド支持ロッドの間に設けられる複数の下支持ユニットと、を含むことを特徴とする。
【０００７】
本考案のボールゲーム用ネット枠の強化支持構造によると、前記二つのサイド支持ロッドは、それぞれ中空な複数の支ロッドを嵌合して構成されることを特徴とする。
【０００８】
本考案のボールゲーム用ネット枠の強化支持構造によると、前記各サイド支持ロッドの下部に支持台が接続され、前記支持台は、中空であり、上に向く端に前記サイド支持ロッドの前記支ロッドが連接され、前記支持台の上では、前記サイド支持ロッドと垂直する接続部が三つ設けられ、前記三つの接続部のうちの二つは、それぞれ下支持ロッドに接続されることを特徴とする。
【０００９】
本考案のボールゲーム用ネット枠の強化支持構造によると、前記各支ロッドの間および前記各支ロッドと前記支持台の間は、それぞれ弾性付きロープで連接されることを特徴とする。
【００１０】
本考案のボールゲーム用ネット枠の強化支持構造によると、前記ネットの両端に接続部がそれぞれ設けられ、両端にある前記接続部により、前記ネットが前記各サイド支持ロッドの前記支持台から遠ざかった一端に嵌め設けられることを特徴とする。
【００１１】
本考案のボールゲーム用ネット枠の強化支持構造によると、前記各下支持ユニットは中空なチューブであることを特徴とする。
【００１２】
本考案のボールゲーム用ネット枠の強化支持構造によると、前記第１支持段の自由端は中空な連接口であり、前記第２支持段の自由端は、前記連接口に対応する挿入端であり、前記第１支持段と前記第２支持段は、それぞれ一つの貫通孔を有し、前記下支持ユニットの前記第１支持段と前記第２支持段は、互いに対向し、一本の弾性付きロープが前記第１支持段と前記第２支持段とに設けられた前記貫通孔を挿通し、前記第１支持段と前記第２支持段とに設けられた前記貫通孔を挿通した前記弾性付きロープの両端にノットがそれぞれ形成され、前記ノットが形成されたと、前記弾性付きロープの両端が前記第１支持段と前記第２支持段とに設けられた前記貫通孔を通過できなくなることを特徴とする。
【００１３】
本考案のボールゲーム用ネット枠の強化支持構造によると、前記支持体は、スチールワイヤでもいいし、一般のロープでもよいことを特徴とする。
【００１４】
本考案のボールゲーム用ネット枠の強化支持構造によると、複数の前記下支持ユニットを連接した後の二つの自由端は、前記サイド支持ロッドの前記支持台の前記接続部に連接され、一本の前記弾性付きロープにより、前記下支持ユニットと前記支持台が連接されることを特徴とする。
【００１５】
本考案のボールゲーム用ネット枠の強化支持構造によると、前記下支持ユニットは中実なロッドであることを特徴とする。
【００１６】
本考案のボールゲーム用ネット枠の強化支持構造によると、前記下支持ユニットの間には、固定スリーブと、継手と、が配され、前記固定スリーブには、前記各下支持ユニットの端部に合せ可能な嵌め穴が設けられ、且つ貫通孔と締結穴とが設けられ、前記各下支持ユニットの両端は、それぞれ一つの前記固定スリーブの前記嵌め穴に挿入され、締結具が前記締結穴に螺入されて前記下支持ユニットを緊迫し、前記継手は、前記下支持ユニットの端部に合せ可能な嵌め穴と、前記嵌め穴に隣接するように設けられ前記弾性付きロープを挿通可能な貫通孔と、を有し、前記継手には、更に、ねじ穴が設けられ、前記下支持ユニットに前記固定スリーブが嵌められた後、前記継手の両端を前記嵌め穴に挿入して、前記ねじ穴に締結具を螺入して前記下支持ユニットを緊迫し、且つ一本の前記弾性付きロープは、前記固定スリーブの前記貫通孔と、前記継手に設けられた前記貫通孔と、前記固定スリーブに隣接する別の固定スリーブの前記貫通孔と、を順次に挿通して、その両端にノットをそれぞれ形成し、ノットが形成された前記弾性付きロープの両端は、前記貫通孔を通過できなくなることを特徴とする。
【００１７】
本考案のボールゲーム用ネット枠の強化支持構造によると、前記下支持ユニットは炭素繊維で作製されたものであることを特徴とする。
【考案の効果】
【００１８】
本考案のボールゲーム用ネット枠の強化支持構造によれば、二つのサイド支持ロッドの距離を一定に保持することができ、ボールゲーム用ネットをストレートに展開することができ、競技スタンダードのボールゲーム用ネット枠の設置標準に合うことができるという効果を有する。
【図面の簡単な説明】
【００１９】
【図１】従来のボールゲーム用ネット枠の模式図である。
【図２】本考案のボールゲーム用ネット枠の模式図である。
【図３】本考案のボールゲーム用ネット枠の一部の構造を示す拡大図である。
【図４】本考案のボールゲーム用ネット枠の別の一部の構造を示す拡大図である。
【図５】本考案の複数の下支持ユニットを接続して使用する状態の模式図である。
【図６】本考案のボールゲーム用ネット枠の平面図である。
【図７】本考案のボールゲーム用ネット枠の一部の平面拡大図である。
【図８】本考案のボールゲーム用ネット枠の別の一部の平面拡大図である。
【図９】本考案の下支持ロッドの別の実施例の模式図である。
【図１０】本考案の下支持ロッドの別の実施例の分解斜視図である。
【図１１】本考案の下支持ロッドの別の実施例の組合済み状態の断面図である。
【考案を実施するための最良の形態】
【００２０】
以下、本考案の実施の形態を図面に基づいて説明する。
まず、図２乃至図８を参照する。本考案のボールゲーム用ネット枠の強化支持構造は、二つのサイド支持ロッド２０と、ボールゲーム用ネット３０と、複数の下支持ユニット４０と、を含む。
【００２１】
二つのサイド支持ロッド２０は、互いに対向し、各サイド支持ロッド２０が複数の中空な支ロッド２１を嵌合して構成され、サイド支持ロッド２０の底部に支持台２２が接続され、支持台２２は多方向連通の形態であり、支持台２２の上に向く一端がサイド支持ロッド２０の支ロッド２１と接続し、なお、支持台２２には、サイド支持ロッド２０と垂直する接続部２２１が三つ設けられ、三つの接続部２２１のうちの二つに下支持ロッド２３がそれぞれ接続され、弾性付きロープＡにより、支持台２２と支ロッド２１と下支持ロッドとが連結される。
【００２２】
ボールゲーム用ネット３０の両端には、接続部３１がそれぞれ設けられ、接続部３１は、各サイド支持ロッド２０の支持台２２を設ける一端から遠ざかった一端にそれぞれ接続される。
【００２３】
複数の下支持ユニット４０は、中空体であり、互いに接続され、二つのサイド支持ロッド２０の間に設けられる。各下支持ユニット４０は、それぞれ第１支持段４１と第２支持段４２を接続して構成され、第１支持段４１と第２支持段４２が支持角θを成す。第１支持段４１の自由端は連接口４１１であり、連接口４１１の一側が透かし状態を呈し、第２支持段４２の自由端には、連接口４１１に対応する連接端４２１が形成される。第１支持段４１と第２支持段４２とには、貫通孔４１２、４２２が設けられる。第１支持段４１と第２支持段４２の間に支持体４３が連接される。下支持ユニット４０はアーチを呈する。本実施例では、支持体４３がスチールワイヤであり、もちろん、下支持ユニット４０の支持体４３は、一般のロープでもいいし、ロッドでもよい。各下支持ユニット４０を連接したいときには、下支持ユニット４０の第１支持段４１と第２支持段４２を互いに対向して、第１支持段４１の貫通孔４１２と第２支持段４２の貫通孔４２２とに弾性付きロープＡを挿通して、弾性付きロープＡの両端にノットＡ１を形成し、これにより、第１支持段４１と第２支持段４２が規制される。第１支持段４１の連接口４１１により、弾性付きロープＡの挿通が更に快速になり、複数の下支持ユニット４０を連結することができ、且つ複数の下支持ユニット４０を折畳んで収納することが可能になる。連結された複数の下支持ユニット４０の二つの自由端は、二つのサイド支持ロッド２０の底部の支持台２２の接続部２２１に連接され、そうすると、これらの下支持ユニット４０がそれぞれサイド支持ロッド２０同士を連接し、弾性付きロープＡにより下支持ユニット４０と支持台２２が連接される。図３に示すように、各サイド支持ロッド２０に挿入される下支持ユニット４０の端部に連接口４１１を設けず、第１支持段４１からサイド支持ロッド２０を挿入してもよい。もちろん、このような構造は上記の構造と同じな効果を達成することができる。
【００２４】
ボールゲーム用ネット枠１０の二つのサイド支持ロッド２０の間には、互いに接続される複数の下支持ユニット４０が設けられ、各下支持ユニット４０がストレートなロッドではないため、ネット枠の二つのサイド支持ロッド２０が外力を受ける場合には、力がこれらの下支持ユニット４０に分散され、各下支持ユニット４０がそれぞれ力を受けるユニットになる。各下支持ユニット４０の支持角θにより、各下支持ユニット４０が両側に張られ中央に撓むことが発生せず、各下支持ユニット４０の両端の間にある支持体４３も支持効果を有するため、これらの下支持ユニット４０が撓み難い構造になり、これにより、二つのサイド支持ロッド２０に設けられるボールゲーム用ネット３０は何時も十分に張られる状態になる。
【００２５】
図９乃至図１１に示すのは、本考案の下支持ユニット４０の別の実施例である。上記の実施例の下支持ユニット４０は、中空体であり、金属、樹脂または別の材料で作製されたものであり、なお、本実施例の下支持ユニット４０は、中実なロッドであり、炭素繊維で作製されたものである。下支持ユニット４０が中実なロッドであるため、嵌合方式により複数の下支持ユニット４０を接続することができず、これにより、各下支持ユニット４０の両端に固定スリーブ５０を設けることが必要である。固定スリーブ５０には、各下支持ユニット４０の端部に合う嵌め穴５１が設けられ、且つ貫通孔５２と締結穴５３とが設けられる。各下支持ユニット４０の両端がそれぞれ固定スリーブ５０の嵌め穴５１に挿入されて、締結穴５３に締結具５４を挿通することにより、下支持ユニット４０が緊迫される。下支持ユニット４０の両端に固定スリーブ５０がそれぞれ設けられ、なお、各下支持ユニット４０を接続したときには、下支持ユニット４０同士の間に継手６０を配する。継手６０は、下支持ユニット４０の端部に合せ可能な嵌め穴６１と、嵌め穴６１に隣接するように設けられ弾性付きロープＡを挿通可能な貫通孔６２と、を有し、継手には、更に、ねじ穴６３が設けられ、下支持ユニット４０に固定スリーブ５０が嵌められた後、継手６０の両端を嵌め穴６１に挿入して、ねじ穴６３に締結具６４を螺入して下支持ユニット４０を緊迫し、且つ一本の弾性付きロープＡは、固定スリーブ５０の貫通孔５２と、継手６０に設けられた貫通孔６２と、固定スリーブ５０に隣接する別の固定スリーブ５０の貫通孔５２と、を順次に挿通して、その両端にノットＡ１をそれぞれ形成する。そうすると、中実な下支持ユニット４０は、固定スリーブ５０と継手６０により接続することができ、このような構造は上記の構造と同じな効果を達成することができる。
【００２６】
ボールゲーム用ネット枠１０の下部に複数の下支持ユニット４０を設けることにより、ボールゲーム用ネット枠１０の二つのサイド支持ロッド２０がこれらの下支持ユニット４０に支持され、これらの下支持ユニット４０がそれぞれ力を受ける個体になり、力が各下支持ユニット４０に分散され、各下支持ユニット４０の支持角θと支持体４３により、各下支持ユニット４０が支持され変形しなくなる。そうすると、両側にある支持ロッド１２１の距離を一定に保持することができ、ボールゲーム用ネット１１をスタンダードの規定寸法に展開することができ、競技スタンダードのボールゲーム用ネット枠の設置標準に合うことができる。
【産業上の利用可能性】
【００２７】
本考案は、ボールゲーム用ネット枠に適用することができる。
【符号の説明】
【００２８】
１０：ボールゲーム用ネット枠、１１：ボールゲーム用ネット、１２：支持枠、１３：下支持ロッド、２０：サイド支持ロッド、２１：支ロッド、２２：支持台、２３：下支持ロッド、３０：ボールゲーム用ネット、３１：接続部、４０：下支持ユニット、４１：第１支持段、４２：第２支持段、４３：支持体、５０：固定スリーブ、５１：嵌め穴、５２：貫通孔、５３：締結穴、５４：締結具、６０：継手、６１：嵌め穴、６２：貫通孔、６３：ねじ穴、６４：締結具、１２１：サイド支持ロッド、１３１：支ロッド、１３２：弾性付きロープ、１３３：ノット、１３４：プラグ、２２１：接続部、４１１：連接口、４１２：貫通孔、４２１：連接端、４２２：貫通孔、Ａ：弾性付きロープ、Ａ１：ノット、θ：支持角。
【図１】
0003160752.tif 000003
【図２】
0003160752.tif 000004
【図３】
0003160752.tif 000005
【図４】
0003160752.tif 000006
【図５】
0003160752.tif 000007
【図６】
0003160752.tif 000008
【図７】
0003160752.tif 000009
【図８】
0003160752.tif 000010
【図９】
0003160752.tif 000011
【図１０】
0003160752.tif 000012
【図１１】
0003160752.tif 000013
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
互いに対向する二つのサイド支持ロッドと、
両端が前記各サイド支持ロッドに連接されるボールゲーム用ネットと、
それぞれ第１支持段と第２支持段を接続して構成され、前記第１支持段と前記第２支持段が支持角を成し、更に、前記第１支持段と前記第２支持段の間に支持体が接続され、前記二つのサイド支持ロッドの間に設けられる複数の下支持ユニットと、を含むことを特徴とする、ボールゲーム用ネット枠の強化支持構造。
【請求項２】
前記二つのサイド支持ロッドは、それぞれ中空な複数の支ロッドを嵌合して構成されることを特徴とする、請求項１に記載のボールゲーム用ネット枠の強化支持構造。
【請求項３】
各前記サイド支持ロッドの下部に支持台が接続され、前記支持台は、中空であり、上に向く端に前記サイド支持ロッドの前記支ロッドが連接され、前記支持台の上では、前記サイド支持ロッドと垂直する接続部が三つ設けられ、前記三つの接続部のうちの二つは、それぞれ下支持ロッドに接続されることを特徴とする、請求項２に記載のボールゲーム用ネット枠の強化支持構造。
【請求項４】
各前記支ロッドの間および前記各支ロッドと前記支持台の間は、それぞれ弾性付きロープで連接されることを特徴とする、請求項３に記載のボールゲーム用ネット枠の強化支持構造。
【請求項５】
前記ネットの両端に接続部がそれぞれ設けられ、両端にある前記接続部により、前記ネットが前記各サイド支持ロッドの前記支持台から遠ざかった一端に嵌め設けられることを特徴とする、請求項３に記載のボールゲーム用ネット枠の強化支持構造。
【請求項６】
各前記下支持ユニットは中空なチューブであることを特徴とする、請求項１に記載のボールゲーム用ネット枠の強化支持構造。
【請求項７】
前記第１支持段の自由端は中空な連接口であり、前記第２支持段の自由端は、前記連接口に対応する挿入端であり、前記第１支持段と前記第２支持段は、それぞれ一つの貫通孔を有し、前記下支持ユニットの前記第１支持段と前記第２支持段は、互いに対向し、一本の弾性付きロープが前記第１支持段と前記第２支持段とに設けられた前記貫通孔を挿通し、前記第１支持段と前記第２支持段とに設けられた前記貫通孔を挿通した前記弾性付きロープの両端にノットがそれぞれ形成され、前記ノットが形成されたと、前記弾性付きロープの両端が前記第１支持段と前記第２支持段とに設けられた前記貫通孔を通過できなくなることを特徴とする、請求項６に記載のボールゲーム用ネット枠の強化支持構造。
【請求項８】
前記支持体は、スチールワイヤでもいいし、一般のロープでもよいことを特徴とする、請求項７に記載のボールゲーム用ネット枠の強化支持構造。
【請求項９】
複数の前記下支持ユニットを連接した後の二つの自由端は、前記サイド支持ロッドの前記支持台の前記接続部に連接され、一本の前記弾性付きロープにより、前記下支持ユニットと前記支持台が連接されることを特徴とする、請求項４に記載のボールゲーム用ネット枠の強化支持構造。
【請求項１０】
前記下支持ユニットは中実なロッドであることを特徴とする、請求項１に記載のボールゲーム用ネット枠の強化支持構造。
【請求項１１】
前記下支持ユニットの間には、固定スリーブと、継手と、が配設され、前記固定スリーブには、前記各下支持ユニットの端部に合せ可能な嵌め穴が設けられ、且つ貫通孔と締結穴とが設けられ、各前記下支持ユニットの両端は、それぞれ一つの前記固定スリーブの前記嵌め穴に挿入され、締結具が前記締結穴に螺入されて前記下支持ユニットを緊迫し、前記継手は、前記下支持ユニットの端部に合せ可能な嵌め穴と、前記嵌め穴に隣接するように設けられ弾性付きロープを挿通可能な貫通孔と、を有し、前記継手には、更に、ねじ穴が設けられ、前記下支持ユニットに前記固定スリーブが嵌められた後、前記継手の両端を前記嵌め穴に挿入して、前記ねじ穴に締結具を螺入して前記下支持ユニットを緊迫し、且つ一本の前記弾性付きロープは、前記固定スリーブの前記貫通孔と、前記継手に設けられた前記貫通孔と、前記固定スリーブに隣接する別の固定スリーブの前記貫通孔と、を順次に挿通して、その両端にノットをそれぞれ形成し、ノットが形成された前記弾性付きロープの両端は、前記貫通孔を通過できなくなることを特徴とする、請求項１０に記載のボールゲーム用ネット枠の強化支持構造。
【請求項１２】
前記下支持ユニットは炭素繊維で作製されたものであることを特徴とする、請求項１１に記載のボールゲーム用ネット枠の強化支持構造。
【手続補正２】
【補正対象書類名】明細書
【補正対象項目名】００１４
【補正方法】変更
【補正の内容】
【００１４】
本考案のボールゲーム用ネット枠の強化支持構造によると、複数の前記下支持ユニットを連接した後の二つの自由端は、前記サイド支持ロッドの前記支持台の前記接続部に連接され、一本の弾性付きロープにより、前記下支持ユニットと前記支持台が連接されることを特徴とする。
【手続補正３】
【補正対象書類名】明細書
【補正対象項目名】００１６
【補正方法】変更
【補正の内容】
【００１６】
本考案のボールゲーム用ネット枠の強化支持構造によると、前記下支持ユニットの間には、固定スリーブと、継手と、が配され、前記固定スリーブには、前記各下支持ユニットの端部に合せ可能な嵌め穴が設けられ、且つ貫通孔と締結穴とが設けられ、前記各下支持ユニットの両端は、それぞれ一つの前記固定スリーブの前記嵌め穴に挿入され、締結具が前記締結穴に螺入されて前記下支持ユニットを緊迫し、前記継手は、前記下支持ユニットの端部に合せ可能な嵌め穴と、前記嵌め穴に隣接するように設けられ弾性付きロープを挿通可能な貫通孔と、を有し、前記継手には、更に、ねじ穴が設けられ、前記下支持ユニットに前記固定スリーブが嵌められた後、前記継手の両端を前記嵌め穴に挿入して、前記ねじ穴に締結具を螺入して前記下支持ユニットを緊迫し、且つ一本の前記弾性付きロープは、前記固定スリーブの前記貫通孔と、前記継手に設けられた前記貫通孔と、前記固定スリーブに隣接する別の固定スリーブの前記貫通孔と、を順次に挿通して、その両端にノットをそれぞれ形成し、ノットが形成された前記弾性付きロープの両端は、前記貫通孔を通過できなくなることを特徴とする。